(57)【要約】【課題】従来、入浴する際には、単に浴槽に浸かっているだけであった。また、書籍などを読んだりする際、腕に体重をかけたり手元にタオル等の置き場もなかった。【解決手段】浴槽の壁面に角度を変更自在な固定板１０を設置して伸縮脚８、８ｃの長さを筒型ネジ部３ａ、３ｂを開閉することで調節し、角度を変更自在な座部５に臀部を当て、座った時に体重が固定板１０にかかる事を利用した伸縮脚式入浴イスと、軸部７、７ａにより角度を変更自在な筒型ネジ部４，４ａの開閉で着脱可能な伸縮脚３、３ｃの長さを筒型ネジ部８ａ、８ｂで調節し、軸部９、９ａにより角度を変更自在な天板１に、さらに滑り止め部１ａとクリップ部１ｂを装備した脱着可能伸縮脚式天板と、固定板１０に持ち運びを容易に、また掛止するための孔１０ｂを有した脱着可能伸縮脚式天板付き伸縮脚式入浴イスである。【選択図】図２
2006255359.tif 000002
【特許請求の範囲】
【請求項１】
浴槽の壁面に設置する角度が変更自在な固定板と、長さを自在に調節することが可能な伸縮脚と、角度が変更自在な座部に臀部を当て、座った時に体重が固定板にかかる事を利用した入浴イス。
【請求項２】
着脱可能な長さを自在に調節することが可能な伸縮脚と、角度を変更自在な天板に滑り止めとクリップを装備した天板。
【請求項３】
各軸受部と軸部の回動によって座部、固定板、天板の角度が変更自在に可動することで折り畳め、さらに固定板に持ち運びや掛止するための孔を設けた入浴イス。
（書類名）特許請求の範囲
（請求項１）
浴槽の壁面に設置する角度が変更自在な固定板と、長さを自在に調節することが可能な伸縮脚と、角度が変更自在な座部に臀部を当て、座った時に体重が固定板にかかる事を利用した入浴イス。
（請求項２）
着脱可能な長さを自在に調節することが可能な伸縮脚と、角度を変更自在な天板に滑り止めとクリップを装備した天板と、各軸受部と軸部の回動によって角度が変更自在に可動することで折り畳め、さらに固定板に持ち運びや掛止するための孔を設けた脱着可能伸縮脚式天板。
【発明の詳細な説明】
【技術分野】
【０００１】  本発明は、浴槽の中に浸かった時の体勢を無理なく自然な状態で保て、なおかつ着脱可能な伸縮脚式ストッパー付多用途天板により、より自由で快適な入浴時間を送る事が出来る入浴イスに関するものである。
【背景技術】
【０００２】  従来、入浴する際には、単に浴槽に浸かっているだけであった。また、書籍などを読んだりする際、腕に体重をかけたり手元にタオル等の置き場もなかった。
【発明の開示】
【発明が解決しようとする課題】
【０００３】  そのために、次のような欠点があった。【０００４】  身体のどこかは必ず踏ん張っており真から脱力は出来ていなかった。【０００５】  肩まで浸かるのには十分な水が必要だった。そのため、水道代も高かった。【０００６】  書籍などを読んだりする際、腕がだるくなったり書籍などが濡れたりした。【０００７】  浴槽内で眠ってしまった時に臀部からずれて溺れそうになった。【０００８】  本発明は、このような従来の問題を解決しようとするものであり、無理なく入浴できる事で快適自由な入浴を実現する事を目的とするものである。
【課題を解決するための手段】
【０００９】  本発明は、上記目的を達成するために、浴槽の壁面に角度が変更自在な固定板を設置して伸縮脚の長さを調節し、角度を変更自在な座部に臀部を当て、座った時に体重が固定板にかかる事を利用した伸縮脚式入浴イスと、着脱可能で高さを自在に調節することが可能な伸縮脚と、角度を変更自在な天板に滑り止めとクリップを装備した天板と、を設けた入浴イスである。
【発明の効果】
【００１０】  座部が臀部をしっかり固定するので全身の力を抜く事ができ、長時間湯船に浸かることができる。【００１１】  入浴の時間が長くなることで、一日の疲れをリセットそしてリフレッシュできる。血行も良くなり快適な睡眠をサポートする。【００１２】  安楽な姿勢でくつろげ、腕が疲れる事なく書籍などを読んだりできる。【００１３】  伸縮脚を縮めることによって少ない水量でも肩まで浸かることが出来る。この事で水道代の節約ができる。【００１４】  万が一、浴槽内で眠ってしまってもずれ落ちて溺れる心配はない。
【発明を実施するための最良の形態】
【００１５】  以下、本発明の実施の形態を図１〜図１２に基づいて説明する。【００１６】  筒型脚部（太）３に固着した筒型雄ネジ部３ｃから筒型雌ネジ部３ｂを開閉して、筒型脚部（太）３に挿入された筒型脚部（細）３ａをスライドさせて調節し、天板１に軸受部２を固着したことで軸部２ａによって筒型脚部（細）３ａが軸支され回動する角度の変更が自在になる伸縮脚式天板を設ける。【００１７】  天板１にすべり止め１ａとクリップ１ｂを固着した天板を設ける。【００１８】  筒型脚部（太）８に固着した筒型雄ネジ部８ｃから筒型雌ネジ部８ｂを開閉して筒型脚部（太）８に挿入された筒型脚部（細）８ａをスライドして調節し、固定板１０に軸受部９を固着したことで軸部９ａによって筒型脚部（細）８ａが軸支され回動する角度の変更が自在になる伸縮脚式固定板を設ける。【００１９】  固定板１０とすべり止め１０ａに持ち運びや掛止するための孔１０ｂを装備した固定板を設ける。【００２０】  座部５に軸受部６を固着したことで軸部６によって筒型脚部（細）３ａ軸支され回動する角度の変更が自在になる座部を設ける。【００２１】  固定用筒型雄ネジ部４から固定用筒型雌ネジ部４ａを開閉することで、筒型脚部（太）３が着脱可能になり、また筒型雄ネジ部８ｅに軸受部７を固着したことで軸部７ａによって固定用筒型雄ネジ４が軸支され回動する角度の変更が自在になる着脱部を設ける。【００２２】  筒型雄ネジ部８ｅに挿入した筒型脚部（太）８に固着した筒型雌ネジ部８ｄを開閉することでスライドして長さを調節可能な状態に設ける。【００２３】  以下、上記構成の動作を説明する。使用する人の体格に関係なく、筒型脚部（太）８に固着した筒型雄ネジ部３ｃから筒型雌ネジ部３ｂを開閉し、筒型脚部（太）８に挿入された筒型脚部（細）８ａをスライドすることで長さ調節が自在に可能である。また、筒型脚部（太）３に固着した筒型雄ネジ部３ｃから筒型雌ネジ部３ｂを開閉し筒型脚部（太）３開閉し、挿入された筒型脚部（細）３ａをスライドすることで高さ調節が自在に可能である。【００２４】  また、固定用筒型雄ネジ部４から固定用筒型雌ネジ部４ａを開閉することで、筒型脚部（太）３の着脱が容易に可能である。【００２５】  また、座部５に座ると必然的に固定板１０に体重がかかりずれない。【００２６】  各軸受部が軸部によって回動する角度の変更が自在に可能なため、折りたたみも手間がいらず収納も場所をとらない。
【図面の簡単な説明】
【００２７】
【図１】本発明の上方から見た外観図
【図２】本発明の右側から見た外観図
【図３】本発明の斜視図
【図４】本発明の収納時の外観図
【図５】本発明の天板の前面図
【図６】本発明の天板の分解図
【図７】本発明の座部の斜視図
【図８】本発明の座部の分解図
【図９】本発明の固定板の斜視図
【図１０】本発明の固定板分解図
【図１１】本発明の着脱可能伸縮脚式天板取付け時の使用状態を示す説明図
【図１２】本発明の着脱可能伸縮脚式天板取り外し時の使用状態を示す説明図
【符号の説明】
【００２８】    １  天板
１ａ  すべり止め
１ｂ  クリップ
２  軸受部
２ａ  軸部
３  筒型脚部（太）
３ａ  筒型脚部（細）
３ｂ  筒型雌ネジ部
３ｃ  筒型雄ネジ部
４  筒型雄ネジ部
４ａ  筒型雌ネジ部
５  座部
６  軸受部
６ａ  軸部
７  軸受部
７ａ  軸部
８  筒型脚部（太）
８ａ  筒型脚部（細）
８ｂ  筒型雌ネジ部
８ｃ  筒型雄ネジ部
８ｄ  筒型雌ネジ部
８ｅ  筒型雄ネジ部
９  軸受部
９ａ  軸部
１０  固定板
１０ａ  すべり止め
１０ｂ  孔
【図１】
2006255359.tif 000003
【図２】
2006255359.tif 000004
【図３】
2006255359.tif 000005
【図４】
2006255359.tif 000006
【図５】
2006255359.tif 000007
【図６】
2006255359.tif 000008
【図７】
2006255359.tif 000009
【図８】
2006255359.tif 000010
【図９】
2006255359.tif 000011
【図１０】
2006255359.tif 000012
【図１１】
2006255359.tif 000013
【図１２】
2006255359.tif 000014
【手続補正書】
【提出日】平成18年1月23日(2006.1.23)
【手続補正１】
【補正対象書類名】特許請求の範囲
【補正対象項目名】全文
【補正方法】変更
【補正の内容】
【特許請求の範囲】
【請求項１】
浴槽の壁面に設置される固定板と、浴槽の底面に設置されて使用する人が浴槽内で座った時にその臀部が当たる座部と、それらの固定板と座部とをそれぞれ角度変更自在に連結しかつ長さを自在に調節することが可能な伸縮脚とを有して、使用する人が浴槽内で前記座部に座った時に前記固定板にその人の体重がかかるように構成され、
前記伸縮脚に長さ調節自在な起立姿勢の別の伸縮脚が連結され、その別の伸縮脚の上端に角度変更自在に天板が設けられ、その天板に滑り止めとクリップとが固着されていることを特徴とする入浴イス。
【請求項２】
上端に前記天板が設けられている前記別の伸縮脚が、前記固定板と前記座部とを連結している前記伸縮脚に対して折畳み可能であり、かつ、前記固定板に、持ち運びや掛止のための孔が設けられている請求項１に記載した入浴イス。
【手続補正２】
【補正対象書類名】明細書
【補正対象項目名】０００９
【補正方法】変更
【補正の内容】
【０００９】
本発明は、上記目的を達成するために、請求項１の発明に係る入浴イスは、浴槽の壁面に設置される固定板と、浴槽の底面に設置されて使用する人が浴槽内で座った時にその臀部が当たる座部と、それらの固定板と座部とをそれぞれ角度変更自在に連結しかつ長さを自在に調節することが可能な伸縮脚とを有して、使用する人が浴槽内で前記座部に座った時に前記固定板にその人の体重がかかるように構成され、前記伸縮脚に長さ調節自在な起立姿勢の別の伸縮脚が連結され、その別の伸縮脚の上端に角度変更自在に天板が設けられ、その天板に滑り止めとクリップとが固着されている。また、請求項２の発明に係る入浴イスは、請求項１の構成に加えて、上端に前記天板が設けられている前記別の伸縮脚が、前記固定板と前記座部とを連結している前記伸縮脚に対して折畳み可能であり、かつ、前記固定板に、持ち運びや掛止のための孔が設けられている。
【手続補正３】
【補正対象書類名】明細書
【補正対象項目名】００２３
【補正方法】変更
【補正の内容】
【００２３】
以下、上記構成の動作を説明する。使用する人の体格に関係なく、筒型脚部（太）８に固着した筒型雄ネジ部８ｃから筒型雌ネジ部８ｂを開閉し、筒型脚部（太）８に挿入された筒型脚部（細）８ａをスライドすることで長さ調節が自在に可能である。また、筒型脚部（太）３に固着した筒型雄ネジ部３ｃから筒型雌ネジ部３ｂを開閉し筒型脚部（太）３開閉し、挿入された筒型脚部（細）３ａをスライドすることで高さ調節が自在に可能である。